(57)【要約】【課題】輝度の向上および輝度視野角の改善を実現することが可能な液晶表示装置を提供する。【解決手段】液晶表示装置は、光源部と、映像信号に基づく第１の映像が表示される第１の液晶パネルと、光源部と第１の液晶パネルとの間に配置され、第１の映像に対応する第２の映像が表示される第２の液晶パネルと、第１の液晶パネルと第２の液晶パネルとの間に配置された拡散層と、拡散層と第１の液晶パネルとの間、および拡散層と第２の液晶パネルとの間のうちの一方に設けられた反射抑制層とを備える。【選択図】図１
2015191053.tif 000002
【特許請求の範囲】
【請求項１】
光源部と、
映像信号に基づく第１の映像が表示される第１の液晶パネルと、
前記光源部と前記第１の液晶パネルとの間に配置され、前記第１の映像に対応する第２の映像が表示される第２の液晶パネルと、
前記第１の液晶パネルと前記第２の液晶パネルとの間に配置された拡散層と、
前記第１および第２の液晶パネルのうちの一方と、前記拡散層との間に設けられた反射抑制層と
を備えた液晶表示装置。
【請求項２】
前記反射抑制層は、前記第１の液晶パネルと前記拡散層との間に設けられ、
前記第２の液晶パネルと前記拡散層との間は空隙である
請求項１に記載の液晶表示装置。
【請求項３】
前記反射抑制層は、前記第１の液晶パネルと前記拡散層との間を埋めるように設けられている
請求項２に記載の液晶表示装置。
【請求項４】
前記反射抑制層は、透明性を有すると共に、屈折率が１．３〜１．７の材料により構成されている
請求項３に記載の液晶表示装置。
【請求項５】
前記拡散層と第２の液晶パネルとの間の距離は、前記反射抑制層の厚みよりも大きい
請求項２に記載の液晶表示装置。
【請求項６】
前記第１の液晶パネルと前記第２の液晶パネルとを含む複数の液晶パネルが配置され、
前記複数の液晶パネルのうちの最も視聴側に配置された液晶パネルの光入射側の偏光板の透過軸は、当該偏光板の水平方向に沿っている
請求項１に記載の液晶表示装置。
【請求項７】
前記反射抑制層は、前記第２の液晶パネルと前記拡散層との間に設けられ、
前記拡散層と前記第１の液晶パネルとの間は空隙となっている
請求項１に記載の液晶表示装置。
【請求項８】
前記第２の液晶パネルは、前記第１の液晶パネルよりも低解像度である
請求項１に記載の液晶表示装置。
【請求項９】
前記第１の映像はカラーの映像であり、
前記第２の映像はモノクロの映像である
請求項１に記載の液晶表示装置。
【発明の詳細な説明】
【技術分野】
【０００１】
本開示は、複数の液晶パネルを用いて映像表示を行う液晶表示装置に関する。
【背景技術】
【０００２】
液晶表示装置（ＬＣＤ：Liquid Crystal Display）の分野においては、液晶表示パネル（液晶パネル）を２枚重ねて配置し、映像表示を行う技術がある（例えば、特許文献１，２）。この技術によれば、液晶パネル１枚の場合に比べ、バックライトからの光漏れを抑制することが可能である。黒輝度を低減して、コントラスト比の向上を図ることができる。
【先行技術文献】
【特許文献】
【０００３】
【特許文献１】国際公開第２００７／０８１６６号パンフレット
【特許文献２】国際公開第２００７／１０８１８３号パンフレット
【発明の概要】
【発明が解決しようとする課題】
【０００４】
しかしながら、上記のように複数枚の液晶パネルを重ねて配置した場合、輝度および輝度視野角の低下が懸念される。輝度の向上および輝度視野角の改善を実現可能な液晶表示装置の実現が望まれている。
【０００５】
本開示はかかる問題点に鑑みてなされたもので、その目的は、輝度の向上および輝度視野角の改善を実現することが可能な液晶表示装置を提供することにある。
【課題を解決するための手段】
【０００６】
本開示の液晶表示装置は、光源部と、映像信号に基づく第１の映像が表示される第１の液晶パネルと、光源部と第１の液晶パネルとの間に配置され、第１の映像に対応する第２の映像が表示される第２の液晶パネルと、第１の液晶パネルと第２の液晶パネルとの間に配置された拡散層と、拡散層と第１の液晶パネルとの間、および拡散層と第２の液晶パネルとの間のうちの一方に設けられた反射抑制層とを備えたものである。
【０００７】
本開示の液晶表示装置では、光源部からの光が第１の液晶パネルと第２の液晶パネルとへ照射され、第１の液晶パネルでは第１の映像、第２の液晶パネルでは第２の映像がそれぞれ表示される。これらの第１の液晶パネルと第２の液晶パネルとの間に拡散層が配置されていることにより、いわゆるモアレ（モワレ、干渉縞）が抑制される。また、拡散層と第１の液晶パネルとの間、および拡散層と第２の液晶パネルとの間のうちの一方に反射抑制層が設けられることで、反射を抑制しつつ、他方の間隙を利用して、パネル間距離を調整可能となる。パネル間距離を確保することで、拡散層のヘイズ値を低く設定することができる。この結果、拡散層による偏光消失が低減し、輝度向上につながる。また、反射の抑制により、斜め光の透過率低下が抑制され、輝度視野角の低下が抑制される。
【発明の効果】
【０００８】
本開示の液晶表示装置では、第１の映像が表示される第１の液晶パネルと、第１の映像に対応する第２の映像が表示される第２の液晶パネルとの間に、拡散層を配置することにより、モアレを抑制できる。また、拡散層と第１の液晶パネルとの間、および拡散層と第２の液晶パネルとの間のうちの一方に反射抑制層を設けることで、反射を抑制しつつ、パネル間距離を調整可能となる。これにより、拡散層における偏光消失を抑制すると共に、斜め光の透過率低下を抑制することができる。よって、輝度の向上および輝度視野角の改善を実現することが可能となる。
【０００９】
なお、上記内容は本開示の一例である。本開示の効果は、上述したものに限らず、他の異なる効果であってもよいし、更に他の効果を含んでいてもよい。
【図面の簡単な説明】
【００１０】
【図１】本開示の一実施の形態に係る液晶表示装置の全体構成を表す機能ブロック図である。
【図２】図１に示した液晶表示装置の要部構成を表す断面図である。
【図３Ａ】図１に示した液晶パネル（フロント側）の構成を説明するための模式図である。
【図３Ｂ】図１に示した液晶パネル（リア側）の構成を説明するための模式図である。
【図４】偏光板の透過軸を説明するための模式図である。
【図５】比較例に係る液晶表示装置の要部構成を表す断面図である。
【図６】図５に示した液晶表示装置における反射率の一例を表す特性図である。
【図７】図２に示した液晶表示装置における反射率の一例を表す特性図である。
【図８】視野角に対する透過比率の関係（輝度視野角）を表す特性図である。
【図９】偏光成分と透過軸との関係を説明するための模式図である。
【図１０】変形例に係る液晶表示装置の要部構成を表す断面図である。
【発明を実施するための形態】
【００１１】
以下、本開示における実施の形態について、図面を参照して詳細に説明する。尚、説明は以下の順序で行う。
１．実施の形態（２枚の液晶パネル間に拡散層を配置し、拡散層とフロント側の液晶パネルとの間に反射抑制層を設けた液晶表示装置の例）
２．変形例（拡散層とリア側の液晶パネルとの間に反射抑制層を設けた場合の例）
【００１２】
＜実施の形態＞
［構成］
図１は、本開示の一実施の形態に係る液晶表示装置（液晶表示装置１）の全体構成を表したものである。液晶表示装置１は、外部から入力される映像信号Ｄinに基づいて、複数枚（ここでは、２枚）の液晶表示パネル（液晶パネル１０，２０）を用いて映像表示を行うものである。液晶表示装置１は、例えば液晶パネル１０，２０と、バックライト３０（光源部）と、タイミング制御部４０と、映像信号処理部４１と、バックライト駆動部１３０と、パネル駆動部１１０，１２０とを備える。
【００１３】
液晶パネル１０（第１の液晶パネル）は、例えばマトリクス状に配置された複数の画素Ｐ１（第１の画素）を含む。液晶パネル１０は、入射光を、映像信号Ｄin（詳細には、映像信号Ｄinに基づく液晶パネル１０用の映像信号Ｄ１）に基づいて変調することにより、例えばカラーの映像表示を行うものである。この液晶パネル１０の画素Ｐ１は、例えばＲ（赤），Ｇ（緑），Ｂ（青）のうちのいずれかのサブピクセルに相当するものであり、これらのＲ，Ｇ，Ｂの３つのサブピクセルの組が、１つのピクセルを構成する。液晶パネル１０は、望ましくは、画素数が液晶パネル２０よりも多い（高解像度である）とよい。一例としては、３８４０×２１６０の画素数のものを用いることができる。
【００１４】
液晶パネル２０（第２の液晶パネル）は、液晶パネル１０とバックライト３０との間に配置され、例えばマトリクス状に配置された複数の画素Ｐ２（第２の画素）を含む。液晶パネル２０は、バックライト３０から出射した光を、映像信号Ｄin（詳細には、映像信号Ｄinに基づく液晶パネル２０用の映像信号Ｄ２）に基づいて変調することにより、例えばモノクロ（白黒）の映像表示を行うものである。液晶パネル２０は、望ましくは、画素数が液晶パネル１０よりも少ない（低解像度である）とよい。一例を挙げると、１９２０×１０８０の画素数のものを用いることができる。なお、この液晶パネル２０は、必ずしも液晶パネル１０よりも低解像度である必要はなく、液晶パネル１０と同程度の解像度であってもよい。また、モノクロ映像ではなく、液晶パネル１０と同様、カラー映像が表示されるものであってもよい。但し、液晶パネル２０を低解像度すること、モノクロ映像表示とすることにより、透過率を向上させることができ、輝度向上に有利となる。
【００１５】
バックライト３０は、液晶パネル１０，２０へ向けて光を照射する光源であり、例えばＬＥＤ（Light Emitting Diode）あるいはＣＣＦＬ（Cold Cathode Fluorescent Lamp）等を複数含むものである。このバックライト３０は、バックライト駆動部１３０によって駆動され、点灯状態および消灯状態が制御されるようになっている。
【００１６】
タイミング制御部４０は、パネル駆動部１１０，１２０の駆動タイミングを制御すると共に、液晶パネル１０用の映像信号（Ｄ１）をパネル駆動部１１０へ、液晶パネル２０用の映像信号（Ｄ２）をパネル駆動部１２０へそれぞれ供給するものである。
【００１７】
映像信号処理部４１は、入力される映像信号Ｄinに基づいて、液晶パネル１０用の映像信号Ｄ１と、液晶パネル２０用の映像信号Ｄ２と、バックライト駆動部１３０の制御信号とを生成するものである。
【００１８】
パネル駆動部１１０は、走査線駆動回路１１１と信号線駆動回路１１２とを含む。走査線駆動回路１１１は、タイミング制御部４０によるタイミング制御に従って、液晶パネル１０の複数の画素Ｐ１を線順次駆動するものである。信号線駆動回路１１２は、各画素Ｐ１へ、タイミング制御部４０から供給される映像信号Ｄ１に基づく映像電圧を供給するものである。具体的には、映像信号Ｄ１に対してＤ／Ａ（デジタル／アナログ）変換を施すことにより、アナログ信号である映像信号を生成し、各画素へ出力する。
【００１９】
パネル駆動部１２０は、走査線駆動回路１２１と信号線駆動回路１２２とを含む。走査線駆動回路１２１は、タイミング制御部４０によるタイミング制御に従って、液晶パネル２０の複数の画素Ｐ２を線順次駆動するものである。信号線駆動回路１２２は、各画素Ｐ２へ、タイミング制御部４０から供給される映像信号Ｄ２に基づく映像電圧を供給するものである。具体的には、映像信号Ｄ２に対してＤ／Ａ（デジタル／アナログ）変換を施すことにより、アナログ信号である映像信号を生成し、各画素へ出力する。
【００２０】
（液晶パネルの詳細構成）
図２は、液晶表示装置１の要部構成を表したものである。このように、液晶表示装置１では、バックライト３０の側から順に、液晶パネル２０と液晶パネル１０とが積層されており、液晶パネル１０の上面が、表示面Ａ（最も視聴側の面）となっている。本実施の形態では、液晶パネル１０と液晶パネル２０とが互いに離間して配置されており、これらの液晶パネル１０と液晶パネル２０との間に、拡散層（拡散層５０）が配置されている。液晶パネル１０，２０のうちの一方（ここでは、液晶パネル１０）と、拡散層５０との間には、反射抑制層６０が設けられている。他方、拡散層５０と液晶パネル２０との間は、
空気層（空隙１Ｓ）となっている。なお、以下では、表示面側をフロント（Front）側、バックライト３０側（リア（Rear）側として説明する。
【００２１】
液晶パネル１０と液晶パネル２０との間の距離（パネル間距離Ｓ）は、特に限定されないが、例えば拡散層５０の拡散度合い（ヘイズ値）、液晶パネル１０の画素Ｐ１の幅、液晶パネル２０の画素Ｐ２の幅等を考慮して、所望の画質（例えばモアレ、輝度および輝度視野角）が得られるように、適切な大きさに設定される。特に、パネル間距離Ｓと拡散層５０のヘイズ値とを適切に設定することにより、輝度低下を抑制しつつモアレを抑制することができる。
【００２２】
液晶パネル１０は、対向配置された駆動基板１２と対向基板１４との間に、液晶層１３が封止されたものである。駆動基板１２の光入射側には偏光板１１ａが、対向基板１４の光出射側には偏光板１１ｂが、それぞれ貼り合わせられている。液晶パネル２０は、対向配置された駆動基板２２と対向基板２４との間に、液晶層２３が封止されたものである。駆動基板２２の光入射側には偏光板２１ａが、対向基板２４の光出射側には偏光板２１ｂが、それぞれ貼り合わせられている。
【００２３】
図３Ａは、液晶パネル１０の構成を説明するための模式図である。液晶パネル１０では、駆動基板１２上に、画素Ｐ１毎に画素電極１１３が設けられている。この画素電極１１３上に配向膜１１４ａ、液晶層１３、配向膜１１４ｂおよび対向電極１１５がこの順に配置されている。対向電極１１５上には、カラーフィルタ１１６Ａとブラックマトリクス１１６Ｂが形成されている。これらのカラーフィルタ１１６Ａとブラックマトリクス１１６Ｂとの上に、対向基板１４（図３Ａには図示せず）が配置される。このように、液晶パネル１０では、液晶層１３が、複数の画素電極１１３と１つの対向電極１１５との間に挟まれている。映像表示の際には、画素Ｐ１毎に、画素電極１１３と対向電極１１５とを通じて液晶層１３に電圧が印加される。
【００２４】
図３Ｂは、液晶パネル２０の構成を説明するための模式図である。液晶パネル２０では、上記の液晶パネル１０と同様、駆動基板２２上に、画素Ｐ２毎に画素電極１２３が設けられている。この画素電極１２３上に配向膜１２４ａ、液晶層２３、配向膜１２４ｂおよび対向電極１２５がこの順に配置されている。対向電極１２５の上に、対向基板２４（図３Ｂには図示せず）が配置される。このように、液晶パネル２０においても、液晶層２３が、複数の画素電極１２３と１つの対向電極１２５との間に挟まれている。映像表示の際には、画素Ｐ２毎に、画素電極１２３と対向電極１２５とを通じて液晶層２３に電圧が印加される。但し、液晶パネル２０では、カラーフィルタが形成されず、上記のようにモノクロ映像が表示されることが望ましい。光損失が少なくなり、高輝度化に有利となるためである。
【００２５】
駆動基板１２，２２は、例えばガラス基板よりなり、例えば矩形状の面形状（表示画面に平行な面形状）を有する。この駆動基板１２には、画素Ｐ１を駆動するための画素回路（薄膜トランジスタ（ＴＦＴ：Thin Film Transistor）およびキャパシタなどを含む）が形成されている。対向基板１４，２４は、例えばガラス基板よりなる。
【００２６】
画素電極１１３，１２３は、駆動基板１２，２２上にマトリクス状に配置されている。画素電極１１３，１２３は、例えば透明導電膜よりなる。透明導電膜としては、例えばインジウム錫酸化物（ＩＴＯ）、インジウム亜鉛酸化物（ＩＺＯ）、酸化亜鉛（ＺｎＯ）、あるいはＩＧＺＯ（インジウム，ガリウム，亜鉛含有酸化物）などの酸化物半導体を用いることができる。
【００２７】
液晶層１３，２３は、供給される映像電圧に応じて、そこを透過する光の透過率を制御する機能を有する。この液晶層１３，２３には、例えばＶＡ（Vertical Alignment）モード、ＴＮ（Twisted Nematic）モード、ＥＣＢ（Electrically controlled birefringence）モード、ＦＦＳ（Fringe Field Switching）モードあるいはＩＰＳ（In Plane Switching）モード等により表示駆動される液晶を含むものである。
【００２８】
配向膜１１４ａ，１１４ｂ，１２４ａ，１２４ｂは、液晶層１３，２３の配向制御を行うためのものであり、例えばシリコン酸化物（ＳｉＯ2）等の無機配向膜よりなる。
【００２９】
対向電極１１５，１２５は、全画素に共通の電極となっており、構成材料としては、上記画素電極１１３，１２３と同様の透明導電膜が挙げられる。
【００３０】
図４は、偏光板１１ａ，１１ｂ，２１ａ，２１ｂの透過軸（偏光透過軸）の一例を表したものである。このように、例えば液晶パネル２０の偏光板２１ａと液晶パネル１０の偏光板１１ｂとが垂直方向（Ｙ方向）の偏光成分を透過し、液晶パネル２０の偏光板２１ｂと液晶パネル１０の偏光板１１ａとが水平方向（Ｘ方向）の偏光成分を透過するように設定されている。これらの偏光板１１ａ，１１ｂ，２１ａ，２１ｂの各透過軸は、液晶層１３，２３の駆動モード等に応じて適宜設定されればよいが、例えばクロスニコルの関係となる偏光板の組が計２組配置される。なお、偏光板１１ａと偏光板２１ｂとのうちどちらか一方（例えば偏光板２１ｂ）をなくし、計３枚の構成としてもよい。
【００３１】
これらの偏光板１１ａ，１１ｂ，２１ａ，２１ｂのうち、最も視聴側の液晶パネルの光入射側に設けられた偏光板の透過軸は水平方向（偏光板の水平方向，Ｘ方向）に沿っていることが望ましい。例えば、本実施の形態のように、液晶パネル１０の偏光板１１ａの透過軸が水平方向となっているとよい。これは、詳細は後述するが、輝度視野角に有利になるためである。また、ここでは２枚の液晶パネル１０，２０が用いられているが、液晶パネルが３枚以上の場合であっても同様のことがいえる。偏光板１１ａ，１１ｂ，２１ａ，２１ｂの構成材料としては、例えばＴＡＣ（トリアセチルセルロース），ＣＯＰ（シクロオレフィン樹脂），ＰＥＴ（ポリエチレンテレフタレート）などが挙げられる。
【００３２】
拡散層５０は、図２に示したように、液晶パネル１０と液晶パネル２０との間において、いずれの位置に配置されていてもよいが、望ましくは液晶パネル１０に近い側（フロント側）に配置されている。例えば、反射抑制層６０が接着性を有する場合には、この反射抑制層６０を介して拡散層５０が液晶パネル１０に貼り合わせられているとよい。拡散層５０がリア側よりもフロント側に配置されている場合の方が、モアレをより効果的に抑制し易く、また鮮鋭度（シャープネス）を高めることができるためである。
【００３３】
拡散層５０のヘイズ値は、高いほどモアレを効果的に抑制できるが、ヘイズ値が高くなると輝度の低下を招く。拡散層５０のヘイズ値は、他のパラメータに応じて、例えば７０％程度以上に設定することができる。
【００３４】
拡散層５０の構成は特に問わないが、一例としては、樹脂フィルムの表面または内部に、ランダムに散布されたビーズあるいはピラーを含む拡散フィルムが挙げられる。このような拡散フィルムでは、フィルム材料、ビーズあるいはピラーの材料や濃度などが調整されることで、ヘイズ値を設定することができる。但し、本実施の形態では、拡散層５０に隣接して反射抑制層６０が形成される。このため、表面にビーズなどが散布されることで（表面の凹凸形状によって）拡散能を発揮するタイプよりも、内部にビーズやピラーが含まれることで拡散能を発揮するタイプの拡散フィルムを用いることが望ましい。反射抑制層６０が隣接していても拡散能を発揮し易いためである。なお、拡散層５０としては、上記のような拡散フィルムが１枚（単層）で用いられてもよいし、複数枚を積層したものが用いられてもよい。
【００３５】
反射抑制層６０は、例えば液晶パネル１０と拡散層５０との間隙を埋めるように設けられており、透明材料から構成されている。透明材料としては、光学的に異方性がなく、かつ屈折率が１．３〜１．７程度のものを用いることができる。望ましくは、反射抑制層６０の屈折率が、隣接する偏光板（ここでは偏光板１１ａ）の屈折率と同等であるとよい。反射を効果的に抑制することができるためである。反射抑制層６０の構成材料としては、上述した偏光板１１ａの構成材料であるＴＡＣ，ＣＯＰ，ＰＥＴと同程度の屈折率を有する透明材料、例えばＵＶ硬化性樹脂、ＯＣＡ（Optically Clear Adhesive）フィルム、粘着性を有するゲルなどが挙げられる。なお、上記のような拡散層５０および反射抑制層６０の代わりに、これらの拡散層５０と反射抑制層６０との両方の機能をもつ材料層が設けられてもよい。例えば、ＵＶ硬化性樹脂などにピラーをランダムに散布したものは、拡散機能と反射抑制機能とを同時に発揮することができる。
【００３６】
この反射抑制層６０の厚みＳ１は、モアレ抑制の観点では、できるだけ小さい方が望ましく、即ち、拡散層５０が液晶パネル１０により近い位置に配置されるとよい。一方で、詳細は後述するが、輝度の観点ではパネル間距離Ｓが大きいことが望ましい。本実施の形態では、拡散層５０と液晶パネル２０との間が空隙１Ｓであることから、この空隙１Ｓの厚み（拡散層５０と液晶パネル２０との間の距離）Ｓ２を、反射抑制層６０の厚みＳ１よりも大きく設定することにより、パネル間距離Ｓを確保することが可能である。
【００３７】
［作用、効果］
液晶表示装置１では、図１に示したように、外部から映像信号Ｄinが映像信号処理部４１へ入力されると、映像信号処理部４１において、所定の画像処理が行われると共に、液晶パネル１０用の映像信号Ｄ１と、液晶パネル２０用の映像信号Ｄ２とが生成され、タイミング制御部４０へ供給される。タイミング制御部４０の制御に応じて、パネル駆動部１１０が駆動され、液晶パネル１０の画素Ｐ１が線順次駆動されると共に、各画素Ｐ１に映像信号Ｄ１に基づく映像電圧が供給される。また、この液晶パネル１０の駆動タイミングに同期して、パネル駆動部１２０が駆動され、液晶パネル２０の画素Ｐ２が線順次駆動されると共に、各画素Ｐ２に映像信号Ｄ２に基づく映像電圧が供給される。
【００３８】
これにより、液晶パネル１０では、バックライト３０からの出射光に基づく入射光が、映像信号Ｄ１に基づいて画素Ｐ１毎に変調され、カラーの映像（高解像度）が表示される。一方、液晶パネル２０では、バックライト３０から出射された光が、映像信号Ｄ２に基づいて画素Ｐ２毎に変調される。このとき、液晶パネル２０では、液晶パネル１０の表示映像に対応するモノクロの映像（低解像度）が表示される。換言すると、液晶パネル２０に表示される映像は、液晶パネル１０に表示されるカラーの映像をモノクロ化し、更に解像度を落としたものである。観察者（視聴者）は、これらの液晶パネル１０，２０のそれぞれの表示映像が重畳したものを見ることとなる。
【００３９】
このように、液晶パネル１０，２０を用いて映像表示を行うことにより、１枚の液晶パネルを用いて映像表示を行う場合よりも、黒輝度が低減され（黒色がより黒く表現され）、コントラスト比が高くなる。例えば、１０万対１（１０００００：１）の高コントラスト比を実現可能となる。また、いわゆるバックライトの部分駆動（ローカルディミング）方式では、実現困難である超多分割ローカルディミングを実現可能となる。即ち、液晶パネル２０の解像度分を分割数とするローカルディミングを行うことが可能となる。
【００４０】
また、液晶パネル１０，２０間に拡散層５０が配置されることにより、画質を向上させることができる。複数枚の液晶パネルを重ねて配置し、各液晶パネルにおいて映像表示を行うとモアレを生じ易くなるが、拡散層５０を配置することにより、モアレの発生が抑制され、高画質化につながる。
【００４１】
一方で、モアレ抑制のために、拡散層５０が配置されると、拡散層５０における偏光消失に起因して輝度の低下が懸念される。また、液晶パネル１０，２０を重ねて配置すること、反射が生じること、あるいは拡散層５０の位相差が角度依存性を有すること、などに起因して、正面方向（表示面Ａに垂直な方向）から傾いた斜め方向における光の透過率が低下し、輝度視野角が低下する。
【００４２】
ここで、図５に、比較例に係る液晶表示装置の要部構成を示す。この液晶表示装置では、本実施の形態と同様、液晶パネル１０，２０間に拡散層５０が配置されているが、拡散層５０と液晶パネル１０，２０との間隙がいずれも空気層（空隙１０１Ｓ１，１０１Ｓ２）となっている点で、本実施の形態の液晶表示装置１と異なる。このような比較例の積層構造の場合、バックライト３０から出射した光は、空隙１０１Ｓ１と拡散層５０との界面と、空隙１０１Ｓ２と偏光板１１ａとの界面において反射され易い（反射光Ｘ１，Ｘ２を生じ易い）。このため、液晶パネル１枚を用いて映像表示を行う場合に比べ透過率が下がり、輝度が低下する。
【００４３】
これに対し、本実施の形態では、拡散層５０と液晶パネル１０との間に反射抑制層６０が設けられることで、偏光板１１ａの裏面（液晶パネル１０の裏面）における反射光Ｘ２が低減される。これにより、比較例よりも透過率が高くなり、輝度向上につながる。
【００４４】
また、液晶パネル１０と拡散層５０との間に反射抑制層６０を設ける一方で、拡散層５０と液晶パネル２０との間は空隙１Ｓとなっている。これにより、反射を抑制しつつ、空隙１Ｓを利用して、パネル間距離Ｓを調整可能となる。上述したように、拡散層５０は、液晶パネル１０により近い位置に配置されることがモアレ抑制の観点において望ましいことから、反射抑制層６０の厚みはできるだけ小さい方がよい。このため、空隙１Ｓの厚みを調整することで、パネル間距離Ｓの大きさを設定することができる。パネル間距離Ｓをある程度の大きさで確保できれば、拡散層５０のヘイズ値を低く設定してもモアレ抑制の効果を得ることができる。この結果、拡散層５０による偏光消失が低減し、輝度向上につながる。また、反射の抑制により、斜め光の透過率低下が抑制され、輝度視野角の低下が抑制される。
【００４５】
一例として、図６に、比較例の液晶表示装置における入射角に対する反射率の関係について、図７に、本実施の形態の液晶表示装置１における入射角に対する反射率の関係について、それぞれ示す。但し、反射抑制層６０の屈折率を１．４９とし、偏光板１１ａとしてはＴＡＣ基材（屈折率１．５０）を想定している。このように、本実施の形態では、比較例に比べ、反射率が低減されていることがわかる。
【００４６】
また、比較例（図６）では、入射角が大きくなるに従って、反射率が増大しており、透過率に角度依存性が生じることがわかる。加えて、ｐ偏光（実線）とｓ偏光（破線）との間で反射率に差があり、ｐ偏光の反射率がｓ偏光の反射率よりも低いことがわかる。また、ｐ偏光とｓ偏光とでは反射率の角度依存性も異なっている。なお、図８に示したように、液晶パネルの透過率の角度依存性は、液晶パネルの枚数が多いほど大きくなる。
【００４７】
これに対し、本実施の形態（図７）では、入射角に対する反射率の変化がほとんどなく、透過率の角度依存性が生じにくいことがわかる。加えて、ｐ偏光の反射率とｓ偏光の反射率とが、ほぼ同様の傾向を示している。
【００４８】
図９に、偏光板１１ａへ入射するｐ偏光（透過）とｓ偏光（反射）のイメージを示す。液晶表示装置１では、計２組の偏光板（偏光板１１ａ，１１ｂの組と、偏光板２１ａ，２１ｂの組）が配置されるが、これらのうち最も視聴側の液晶パネルの光入射側（リア側）に設けられた偏光板、即ち偏光板１１ａの透過軸は水平方向に沿っている。ここで、ディスプレイ用途では、水平方向における輝度視野角が良好であることが望ましい。本実施の形態のように、偏光板１１ａの透過軸とｐ偏光の電場振動方向とを水平方向に一致させることで、水平方向における輝度視野角が良好となる。
【００４９】
また、本実施の形態では、液晶パネル２０がカラーフィルタを持たず、モノクロの映像表示を行うことにより、カラーフィルタによる光吸収がなく、高輝度化により有利となる。
【００５０】
加えて、液晶パネル２０が液晶パネル１０よりも低解像度ことにより、解像度が液晶パネル１０と同程度である場合に比べ、輝度を高めることができる。また、モアレ抑制にも有利である。
【００５１】
以上説明したように、本実施の形態では、液晶パネル１０と液晶パネル２０との間に、拡散層５０を配置することにより、モアレを抑制できる。また、拡散層５０と液晶パネル１０との間に反射抑制層６０を設けることで、反射を抑制しつつ、パネル間距離を調整可能となる。これにより、拡散層５０におけるヘイズ値を低くして、偏光消失を抑制すると共に、斜め光の透過率低下を抑制することができる。よって、輝度の向上および輝度視野角の改善を実現することが可能となる。
【００５２】
また、輝度視野角が改善されることで多人数の視聴に好適なディスプレイを実現できる。加えて、バックライト３０の発光輝度を下げることが可能となり、低消費電力にもつながる。
【００５３】
以下、上記実施の形態の変形例について説明する。尚、上記実施の形態と同一の構成要素については同一の符号を付し説明を省略する。
【００５４】
＜変形例＞
図１０は、変形例に係る液晶表示装置の断面構成を表したものである。上記実施の形態等では、液晶パネル１０と拡散層５０との間に反射抑制層６０を設け、液晶パネル２０と拡散層５０との間を空隙１Ｓとしたが、本変形例では、液晶パネル２０と拡散層５０との間に反射抑制層６０を設け、液晶パネル１０と拡散層５０との間が空隙１Ｓとなっている。このように、反射抑制層６０は、拡散層５０と液晶パネル１０との間、および拡散層５０と液晶パネル２０との間のどちらであってもよい。
【００５５】
本変形例のように、反射抑制層６０が、拡散層５０と液晶パネル２０との間に設けられる場合には、バックライト３０からの出射光のうち拡散層５０の裏面における反射光（図５の反射光Ｘ１）を低減することができる。これにより、輝度向上を図ることができる。
【００５６】
また、液晶パネル１０と拡散層５０との間は空隙１Ｓであり、上記実施の形態と同様、この空隙１Ｓを利用して、パネル間距離Ｓの大きさを設定することができる。よって、上記実施の形態とほぼ同等の効果を得ることができる。
【００５７】
以上、いくつかの実施の形態および変形例を挙げて説明したが、本開示内容はこれらの実施の形態等に限定されず、種々の変形が可能である。例えば、上記実施の形態等では、２枚の液晶パネル１０，２０を用いて映像表示を行う構成を例示したが、本開示の液晶表示装置は、３枚以上の液晶パネルを用いたものであってもよい。
【００５８】
また、上記実施の形態等では、拡散層５０と液晶パネル１０との間、および拡散層５０と液晶パネル２０との間のうちの一方に反射抑制層６０を設け、もう一方を空隙としたが、場合によっては、拡散層５０と液晶パネル１０との間、および拡散層５０と液晶パネル２０との間の両方に反射抑制層６０を設けてもよい。つまり、液晶パネル１０と液晶パネル２０との間に空気層が形成されないようにしてもよい。反射抑制の観点では有利な構造となる。また、この場合、２つの反射抑制層６０が設けられることとなるが、これら２つの反射抑制層６０が同一材料により構成されていてもよいし、異なる材料により構成されていてもよい。
【００５９】
更に、上記実施の形態等において説明した効果は一例であり、他の効果であってもよいし、更に他の効果を含んでいてもよい。
【００６０】
尚、本開示は、以下のような構成であってもよい。
（１）
光源部と、
映像信号に基づく第１の映像が表示される第１の液晶パネルと、
前記光源部と前記第１の液晶パネルとの間に配置され、前記第１の映像に対応する第２の映像が表示される第２の液晶パネルと、
前記第１の液晶パネルと前記第２の液晶パネルとの間に配置された拡散層と、
前記第１および第２の液晶パネルのうちの一方と、前記拡散層との間に設けられた反射抑制層と
を備えた液晶表示装置。
（２）
前記反射抑制層は、前記第１の液晶パネルと前記拡散層との間に設けられ、
前記第２の液晶パネルと前記拡散層との間は空隙である
上記（１）に記載の液晶表示装置。
（３）
前記反射抑制層は、前記第１の液晶パネルと前記拡散層との間を埋めるように設けられている
上記（２）に記載の液晶表示装置。
（４）
前記反射抑制層は、透明性を有すると共に、屈折率が１．３〜１．７の材料により構成されている
上記（３）に記載の液晶表示装置。
（５）
前記拡散層と第２の液晶パネルとの間の距離は、前記反射抑制層の厚みよりも大きい
上記（２）に記載の液晶表示装置。
（６）
前記第１の液晶パネルと前記第２の液晶パネルとを含む複数の液晶パネルが配置され、
前記複数の液晶パネルのうちの最も視聴側に配置された液晶パネルの光入射側の偏光板の透過軸は、当該偏光板の水平方向に沿っている
上記（１）〜（５）のいずれかに記載の液晶表示装置。
（７）
前記反射抑制層は、前記第２の液晶パネルと前記拡散層との間に設けられ、
前記拡散層と前記第１の液晶パネルとの間は空隙となっている
上記（１）〜（６）のいずれかに記載の液晶表示装置。
（８）
前記第２の液晶パネルは、前記第１の液晶パネルよりも低解像度である
上記（１）〜（７）のいずれかに記載の液晶表示装置。
（９）
前記第１の映像はカラーの映像であり、
前記第２の映像はモノクロの映像である
上記（１）〜（８）のいずれかに記載の液晶表示装置。
【符号の説明】
【００６１】
１…液晶表示装置、１０，２０…液晶パネル，３０…バックライト、４０…タイミング制御部、４１…映像信号処理部、５０…拡散層、６０…反射抑制層、１１０，１２０…パネル駆動部、１３０…バックライト駆動部、Ｐ１，Ｐ２…画素、Ａ…表示面、Ｓ…パネル間距離、１Ｓ…空隙。
【図１】
2015191053.tif 000003
【図２】
2015191053.tif 000004
【図３Ａ】
2015191053.tif 000005
【図３Ｂ】
2015191053.tif 000006
【図４】
2015191053.tif 000007
【図５】
2015191053.tif 000008
【図６】
2015191053.tif 000009
【図７】
2015191053.tif 000010
【図８】
2015191053.tif 000011
【図９】
2015191053.tif 000012
【図１０】
2015191053.tif 000013